(57)【要約】      （修正有）【課題】流行性感染症の感染者の行動履歴を移動端末の旅程検索に利用し、感染を予防する。【解決手段】感染者行動履歴データベースおよび流行情報データベースと地図情報データベースを備えたホストシステムと、このホストシステムに行動履歴の送信と旅程検索の要求を行う個人用移動端末と感染症流行情報の登録を行う医療機関端末とから構成する。感染症患者の持つ個人用移動端末から行動履歴を送信し、医療機関端末から流行情報を送信し、ホストシステムは感染者行動履歴と流行情報を蓄積する。ホストシステムは個人用移動端末からの旅程検索要求に応じて、地図情報データベースにより旅程検索を行い、旅程検索結果の各地点について、感染者行動履歴データベースと流行情報データベースから感染者との接触の危険性を判定し、代替旅程と予防情報を付加し旅程検索結果を要求元に送信し、要求元の移動端末ではホストシステムから受信した旅程検索結果を表示する。【選択図】図１
2011191236.tif 000002
【特許請求の範囲】
【請求項１】
感染者行動履歴データベースおよび流行情報データベースと地図情報データベースを備えたホストシステムと、このホストシステムに行動履歴の送信と旅程検索の要求を行う個人用移動端末と感染症流行情報の登録を行う医療機関端末からなる感染症予防情報提供システムであって、
前記ホストシステムは、個人用移動端末より送信された移動履歴を感染者行動履歴データベースに登録する感染者行動履歴収集手段と、医療機関端末より送信された流行情報を流行情報データベースに登録する流行情報収集手段と、個人用移動端末からの旅程検索の要求に対して、感染症予防情報を付加した旅程検索結果を求める旅程検索手段と、個人用移動端末および医療機関端末とのデータの送受信を行う送受信手段とを備え、
前記個人用移動端末は、衛星からの電波を受信して自装置の現在位置を検出する現在位置検出手段と、この現在位置検出手段が検出した位置を蓄積する行動履歴データベースと、旅程検索における条件入力画面や前記ホストシステムからの旅程検索結果画面を表示する表示手段と、前記ホストシステムに行動履歴を送信する際の感染症種別等の指定、または前記ホストシステムに旅程検索を要求する際の条件指定を入力する入力手段と、前記ホストシステムへの行動履歴の送信および旅程検索の要求送信および結果受信を行うための送受信手段と、行動履歴の蓄積・送信処理を行う行動履歴処理手段と、旅程検索の要求・結果表示処理を行う旅程処理手段とを備えることを特徴とする感染症予防情報提供システム。
【請求項２】
感染者行動履歴データベースおよび流行情報データベースと地図情報データベースを備えたホストシステムと、このホストシステムに行動履歴の送信と旅程検索の要求を行う個人用移動端末と感染症流行情報の登録を行う医療機関端末からなる感染症予防情報提供システムにおける感染症予防情報提供方法であって、
前記ホストシステムは、個人用移動端末より旅程検索要求を受信するステップと、
受信した要求に対し、地図情報データベースに基づき旅程を検索するステップと、
旅程検索結果の各地点について、感染症感染者との接触の危険性の有無について、各地点を通過する日時と位置情報に基づき判定するステップと、
感染者との接触の危険があると判定された場合、危険がある地域とは別の経由地を設定することにより代替旅程を検索するステップと、
感染者との接触の危険があると判定された場合、予防のための情報を付加するステップと、
生成した旅程検索結果を送信するステップとを備え、
前記個人用移動端末は、衛星からの電波を受信して自装置の現在位置を検出するステップと、検出した現在位置を行動履歴データベースに蓄積するステップと、
旅程検索における条件入力画面や前記ホストシステムからの旅程検索結果画面を表示するステップと、
前記ホストシステムに行動履歴を送信する際の感染症種別等の指定、または前記ホストシステムに旅程検索を要求する際の条件指定を入力するステップと、
前記ホストシステムへの行動履歴の送信および旅程検索の要求送信および結果受信を行うステップと、
行動履歴の蓄積・送信処理を行うステップと、
旅程検索の要求・結果表示処理を行うステップとを
備えることを特徴とする感染症予防情報提供方法。
【発明の詳細な説明】
【技術分野】
【０００１】
本発明は、インフルエンザ等の流行性感染症について、感染者の行動履歴等の情報をナビゲーションシステムによる旅程検索時に用いることで、利用者が感染を予防するための情報を提供するシステムに関するものである。
【背景技術】
【０００２】
わが国においては、「感染症の予防及び感染症の患者に対する医療に関する法律（感染症新法）」に基づき、感染症の予防と拡大防止、さらには国民に正確な情報を提供することを目的として、感染症に関する情報の収集および公表、感染症の発生状況および動向の把握そしてその原因の調査として医師の届け出に基づく感染症サーベイランスシステム（感染症発生動向調査システム）が強化されてきている。また感染症新法においては、積極的疫学調査（感染症の発生状況、動向および原因の調査）の規定が設けられており、患者の基本情報（氏名、住所、年齢、職業等）のほかに、患者の行動に関する詳細な情報の把握と接触者のリストアップ、公共交通機関・集団利用施設を利用した場合などは、利用日・利用時間帯・利用場所などの詳しい聞き取りなどが実施され、サーベイランスシステムで収集・管理される。
また、衛星を用いて現在位置を検出するGPS（Global Positioning System）を搭載した携帯電話等の端末が個人に普及し、個人の行動地域の地理情報を取得することが容易となっている。
こうして収集された感染症の発生状況等の情報と、携帯端末の利用者が所持する携帯端末の地理情報取得機能により蓄積された行動履歴を元として、感染症感染者に接触した可能性が高い利用者に対して感染症感染の予防を目的として情報を提供するシステムが考案されている。
【０００３】
なお、本発明に関連する公知技術文献としては下記の特許文献１がある。
【先行技術文献】
【特許文献】
【０００４】
【特許文献１】特開平２００９−２７７０５０号公報
【発明の概要】
【発明が解決しようとする課題】
【０００５】
感染症の予防対策として重要なものの一つは、感染者との接触を避けることで病原体との曝露を防ぐことである。しかし、現在公知されている地理情報を用いた感染症予防情報提供システムでは、利用者の所持する携帯端末に蓄積された行動履歴を用いて、行動後に感染者へ接触した可能性を知らせる情報提供を行うため、利用者が“行動前”に感染者との接触を避ける手段をとるために有用な情報は提供されない。
このため、現在の感染症予防情報提供システムを用いた場合には、感染症の予防として事後的な対処しか行えないという問題がある。
【０００６】
本発明の目的は、流行性感染症の感染者発生状況に関する情報を、利用者が実際に行動する前に、ナビゲーションシステムでの旅程検索時に利用することで、感染者との接触前の予防対処を可能とする情報を提供することができる感染症情報提供システムおよび方法を提供することにある。
【課題を解決するための手段】
【０００７】
上記目的を達成するために、本発明の感染症予防情報提供システムは、感染者行動履歴データベースおよび流行情報データベースと地図情報データベースを備えたホストシステムと、このホストシステムに行動履歴の送信と旅程検索の要求を行う個人用移動端末と感染症流行情報の登録を行う医療機関端末からなる感染症予防情報提供システムであって、
前記ホストシステムは、個人用移動端末より送信された移動履歴を感染者行動履歴データベースに登録する感染者行動履歴収集手段と、医療機関端末より送信された流行情報を流行情報データベースに登録する流行情報収集手段と、個人用移動端末からの旅程検索の要求に対して、感染症予防情報を付加した旅程検索結果を求める旅程検索手段と、個人用移動端末および医療機関端末とのデータの送受信を行う送受信手段とを備え、
前記個人用移動端末は、衛星からの電波を受信して自装置の現在位置を検出する現在位置検出手段と、この現在位置検出手段が検出した位置を蓄積する行動履歴データベースと、旅程検索における条件入力画面や前記ホストシステムからの旅程検索結果画面を表示する表示手段と、前記ホストシステムに行動履歴を送信する際の感染症種別等の指定、またはホストシステムに旅程検索を要求する際の条件指定を入力する入力手段と、前記ホストシステムへの行動履歴の送信および旅程検索の要求送信および結果受信を行うための送受信手段と、行動履歴の蓄積・送信処理を行う行動履歴処理手段と、旅程検索の要求・結果表示処理を行う旅程処理手段とを備えたものである。
【０００８】
また、本発明に係る感染症予防情報提供方法は、感染者行動履歴データベースおよび流行情報データベースと地図情報データベースを備えたホストシステムと、このホストシステムに行動履歴の送信と旅程検索の要求を行う個人用移動端末と感染症流行情報の登録を行う医療機関端末からなる感染症予防情報提供システムにおける感染症予防情報提供方法であって、
前記ホストシステムは、個人用移動端末より旅程検索要求を受信するステップと、
受信した要求に対し、地図情報データベースに基づき旅程を検索するステップと、
旅程検索結果の各地点について、感染症感染者との接触の危険性の有無について、各地点を通過する日時と位置情報に基づき判定するステップと、
感染者との接触の危険があると判定された場合、危険がある地域とは別の経由地を設定することにより代替旅程を検索するステップと、
感染者との接触の危険があると判定された場合、予防のための情報を付加するステップと、
生成した旅程検索結果を送信するステップとを備え、
前記個人用移動端末は、衛星からの電波を受信して自装置の現在位置を検出するステップと、検出した現在位置を行動履歴データベースに蓄積するステップと、
旅程検索における条件入力画面や前記ホストシステムからの旅程検索結果画面を表示するステップと、
前記ホストシステムに行動履歴を送信する際の感染症種別等の指定、または前記ホストシステムに旅程検索を要求する際の条件指定を入力するステップと、
前記ホストシステムへの行動履歴の送信および旅程検索の要求送信および結果受信を行うステップと、
行動履歴の蓄積・送信処理を行うステップと、
旅程検索の要求・結果表示処理を行うステップとを
備えることを特徴とする。
【発明の効果】
【０００９】
本発明の感染症予防情報提供システムによれば、次のような効果がある。
流行性感染症の感染者発生状況に関する情報を、利用者が実際に行動する前に、ナビゲーションシステムでの旅程検索時に利用することで、感染者との接触前の予防対処を可能とすることができる。
【図面の簡単な説明】
【００１０】
【図１】本発明の一実施の形態を示すシステム構成図である。
【図２】ホストシステムの感染者行動履歴データベースに格納されているデータの構成図である。
【図３】ホストシステムの流行情報データベースに格納されているデータの構成図である。
【図４】ホストシステムの地図情報データベースに格納されているデータの構成図である。
【図５】個人用移動端末装置の内部構成図である。
【図６】個人用移動端末装置の利用者行動履歴データベースに格納されているデータの構成図である。
【図７】ホストシステムの旅程検索処理の概要を示すフローチャートである。
【図８】個人用移動端末装置画面上の地図に予防情報が表示される具体例の説明図である。
【発明を実施するための形態】
【００１１】
以下、本発明を適用した感染症予防情報提供システムの一実施の形態について説明する。
図１は、本発明の実施の形態の一例を示すシステム構成図である。
本感染症予防情報提供システムは、感染者行動履歴データベース１０１および流行情報データベース１０２と地図情報データベース１０３を備えたホストシステム１０４と、このホストシステム１０４に感染者行動履歴を送信し、またホストシステム１０４から旅程検索結果を受信する個人用移動端末装置１０５と、およびホストシステム１０４に流行情報を送信する医療機関端末１０６から構成される。そして、個人用移動端末装置１０５および医療機関端末１０６は公衆回線網１０７により接続されている。
【００１２】
ホストシステム１０４の地図情報データベース１０３には、例えば日本全国の鉄道駅情報を示す地図データおよび各地域の観光案内等の地図関連情報が登録されている。
感染者行動履歴データベース１０１には、例えばインフルエンザ感染者の所持する個人用移動端末１０５より送信された、個人用移動端末１０５が最近移動した場所などの感染者の行動履歴が登録されている。
流行情報データベース１０２には、例えば保健所などに設置された医療機関端末１０６から送信されたインフルエンザ等の感染症の流行地域が登録されている。
【００１３】
ホストシステム１０４は、個人用移動端末１０５より送信された移動履歴を登録する感染者行動履歴収集部１０８、医療機関端末１０６より送信された流行情報を登録する流行情報収集部１０９、個人用移動端末１０５からの旅程検索の要求に対して、感染症予防情報を付加した旅程検索結果を求める旅程検索部１１０、個人用移動端末１０５および医療機関端末１０６との送受信を行う送受信部１１１を備えている。
【００１４】
感染者行動履歴データベース１０１に格納される感染者行動履歴は、図２に示すように、患者ＩＤ２０１、感染症種別２０２、測定日時２０３、位置情報２０４の各データから構成される。ここで例えば、患者ＩＤ「Ａ」がインフルエンザを発症した場合には、患者の操作により個人用移動端末１０５は行動履歴を送信し、感染者行動履歴収集部１０８は図２に示すように、患者ＩＤ２０１として「Ａ」、感染症種別として「インフルエンザ」、測定日時として年月日「2009/12/21」・時分「10:00」、位置情報として北緯「35.4」・東経「139.5」を登録する。
患者が発症した日時から感染症の潜伏期間にさかのぼった期間の行動履歴の情報が登録される。
【００１５】
図３は感染症の流行情報データベース１０２のデータ構成を示した図である。
流行情報は、感染症種別３０１、患者数３０２、更新日時３０３、位置情報３０４の各データから構成される。ここで例えば、ある地域でインフルエンザ患者が５名発生した場合、医療機関端末１０６は感染者情報を送信し、流行情報収集部１０９は図３に示すように、感染症種別として「インフルエンザ」、患者数として「5」、更新日時として年月日「2009/12/21」・時分「12:00」、位置情報として北緯「35.5」・東経「138.2」と登録する。
【００１６】
図４は地図情報データベース１０３のデータ構成を示した図である。
地図情報は地名４０１、位置情報４０２、その他地図情報４０３で構成される。例えば、ABC駅の地上情報は図４に示すように、地名として「ABC駅」、位置情報として北緯「35.4」・東経「139.5」、またその他地図情報が登録される。
【００１７】
図５は、個人用移動端末１０５の構成を示した図である。
個人用移動端末１０５は衛星からの電波を受信して自装置の現在位置を検出するＧＰＳ部５０１、このＧＰＳ部５０１が検出した現在位置を蓄積する行動履歴データベース５０２、旅程検索における条件入力画面やホストシステム１０４からの検索結果画面を表示する表示部５０３、ホストシステム１０４に感染症情報を送信する際の感染症種別等の指定、またはホストシステム１０４に旅程検索を要求する際の条件指定の入力を行う入力部５０４、ホストシステム１０４への行動履歴の送信および旅程検索の要求送信および結果受信を行うための送受信部５０５、行動履歴と旅程検索に関する処理を行うデータ処理部５０６から構成されている。
データ処理部５０６は、行動履歴の蓄積・送信処理を行う行動履歴処理部５０７と旅程検索の要求・結果表示処理を行う旅程処理部５０８からなる。
【００１８】
図６は、個人用移動端末１０５の行動履歴データベース５０２のデータ構造を示した図である。
行動履歴は測定日時６０１、位置情報６０２で構成される。例えば、行動履歴は図６で示すように、測定日時として年月日が「2009/12/21」・時分が「15:21」、位置情報として北緯が「35.2」・東経が「139.5」と登録される。
以上のように構成された感染症情報提供システムの動作を以下に説明する。
【００１９】
図７は、ホストシステム１０４の旅程検索処理部の概要を示すフローチャートである。
ホストシステム１０４は、個人用移動端末１０５より旅程検索要求を受信する（ステップ７０１）。
続いて、ホストシステム１０４は受信した要求に対し、地図情報データベース１０３に基づき旅程を検索する（ステップ７０２）。
ここで、ホストシステム１０４は旅程検索結果の各地点について、感染症感染者との接触の危険性の有無について、各地点を通過する日時と位置情報に基づき判定する（ステップ７０３）。感染者行動履歴データベース１０１について、旅程各地点の位置情報とデータベースの位置情報の距離計算、および旅程各地点の通過予定日時とデータベースの測定日時の比較により判定する。また、流行情報データベース１０２について、旅程各地点の位置情報とデータベースの位置情報の距離計算、および旅程各地点の通過予定日時とデータベースの登録日時の比較により判定する。
【００２０】
ホストシステム１０４はステップ７０３により感染者との接触の危険があると判定された場合、図８の提示情報８０１に示すように、感染者との接触の危険がある地域の代わりに、接触を避けることができる地域を経由する代替旅程を検索する（ステップ７０４）。例えば図８に示すように鉄道路線の旅程検索の場合、当初に検索された旅程の経由駅に感染症の流行地域であるＢ駅が含まれる場合、流行地域ではないＤ駅を経由する別路線を利用した旅程を検索する。
また、ホストシステム１０４はステップ７０３により感染者との接触の危険があると判定された場合、図８の提示情報８０２に示すように予防のための情報を付加する（ステップ７０５）。
ホストシステム１０４は最終的に生成した旅程検索結果を送信する（ステップ７０６）。
【符号の説明】
【００２１】
１０１…感染者行動履歴データベース
１０２…流行情報データベース
１０３…地図情報データベース
１０４…ホストシステム
１０５…個人用移動端末
１０６…医療機関端末
１０７…公衆回線網
５０１…GPS部
５０２…行動履歴データベース
５０３…表示部
５０４…入力部
５０５…送受信部
５０６…データ処理部。
【図１】
2011191236.tif 000003
【図２】
2011191236.tif 000004
【図３】
2011191236.tif 000005
【図４】
2011191236.tif 000006
【図５】
2011191236.tif 000007
【図６】
2011191236.tif 000008
【図７】
2011191236.tif 000009
【図８】
2011191236.tif 000010